(57)【要約】【課題】その目的は、高周波ノイズの発生を抑制しつつ高容量の照明負荷の光出力を調節することができ且つ放熱性の向上および小型化を図れる調光装置を提供する。【解決手段】トライアックおよびトライアックの主端子間に接続される一対のＩＧＢＴの直列回路を備え、トライアックおよび一対のＩＧＢＴそれぞれをアルミニウム基板５１にベアチップ実装したパワーモジュール５と、可変抵抗ＶＲで設定された調光レベルに対応する位相角に応じてトライアックをターンオンさせるに先だって照明負荷に印加される負荷電圧が滑らかに増加するように一対のＩＧＢＴの一方のインピーダンスを制御する制御回路とを備える。パワーモジュール５は、施工面に設置される取付部材たる取付板４へ放熱板６を介して熱結合させている。【選択図】      図１
2005019143.tif 000002
【特許請求の範囲】
【請求項１】
交流電源と照明負荷との間に挿入される双方向性３端子サイリスタと、双方向性３端子サイリスタの主端子間に接続された一対のトランジスタの直列回路と、各トランジスタに逆並列に接続された一対のダイオードと、照明負荷の調光レベルを設定するための操作部と、操作部で設定された調光レベルに対応する位相角に応じて双方向性３端子サイリスタをターンオンさせるに先だって照明負荷に印加される負荷電圧が滑らかに増加するように一対のトランジスタの一方のインピーダンスを制御する制御回路とを備え、１枚の放熱板に絶縁層を介して双方向性３端子サイリスタおよび一対のトランジスタそれぞれをベアチップ実装したパワーモジュールを構成し、パワーモジュールを施工面に設置される取付部材へ熱結合させてなることを特徴とする調光装置。
【請求項２】
前記パワーモジュールと前記取付部材とを熱結合する銅板からなる熱結合部材を備え、前記取付部材は、金属板からなり、前記パワーモジュールは、アルミニウム板に絶縁層が積層されたアルミニウム基板におけるアルミニウム板が前記放熱板を構成してなることを特徴とする請求項１記載の調光装置。
【請求項３】
前記パワーモジュールと前記取付部材とを熱結合する熱結合部材を備え、前記取付部材と熱結合部材とが金属ダイキャストにて一体成形されてなることを特徴とする請求項１記載の調光装置。
【請求項４】
前記操作部を前記取付部材の一端側に配置し、前記パワーモジュールを前記取付部材の他端側に配置してなることを特徴とする請求項１ないし請求項３のいずれかに記載の調光装置。
【請求項５】
前記取付部材において前記パワーモジュールよりも前記操作部から離れた部位に金属製の放熱ブロックが配置されてなることを特徴とする請求項４記載の調光装置。
【請求項６】
前記取付部材は、前記操作部を露出させる開口部が形成されてなることを特徴とする請求項４または請求項５記載の調光装置。
【請求項７】
前記取付部材の前面側に配設されるカバーを備え、カバーに放熱用スリットが貫設されてなることを特徴とする請求項１ないし請求項６のいずれかに記載の調光装置。
【請求項８】
前記カバーは、上端部および下端部それぞれに前記放熱用スリットが貫設されてなることを特徴とする請求項７記載の調光装置。
【請求項９】
前記カバーの前記上端部に形成された前記放熱用スリットは、斜め前方へ上昇傾斜し、前記カバーの前記下端部に形成された前記放熱用スリットは、斜め前方へ下降傾斜していることを特徴とする請求項８記載の調光装置。
【請求項１０】
前記カバーと前記取付部材との互いの対向面の間に隙間が形成されてなることを特徴とする請求項７ないし請求項９のいずれかに記載の調光装置。
【請求項１１】
前記制御回路を形成した回路基板が収納された器体を備え、前記パワーモジュールは、器体の前壁に貫設された複数の端子挿通孔を通して回路基板に接続される複数の接続端子が後方へ突設されてなることを特徴とする請求項１ないし請求項１０のいずれかに記載の調光装置。
【請求項１２】
前記器体の前面に前記取付部材との間に隙間を形成するための隙間形成用リブが突設されてなることを特徴とする請求項１１記載の調光装置。
【請求項１３】
前記器体内には、前記パワーモジュールの前記接続端子が収納される空間と前記制御回路の部品が収納される空間とを仕切る仕切壁が設けられてなることを特徴とする請求項１１または請求項１２記載の調光装置。
【請求項１４】
前記回路基板は、前記仕切壁の一部が挿入される切欠部が形成されてなることを特徴とする請求項１３記載の調光装置。
【発明の詳細な説明】
【０００１】
【発明の属する技術分野】
本発明は、交流電源を位相制御することにより、照明負荷を調光する調光装置に関するものである。
【０００２】
【従来の技術】
従来より、商用電源のような交流電源と白熱灯のような照明負荷との間に挿入される双方向性３端子サイリスタ（以下、トライアックという）、可変抵抗などを実装したプリント基板を器体内に収納し、トライアックを位相制御することにより照明負荷への供給電力を制御して照明負荷の光出力の調節を可能とした調光装置が提案されている（例えば、特許文献１参照）。この種の調光装置は、可変抵抗の抵抗値を調節することで照明負荷の調光レベルを設定するための操作部が器体の前面に設けられている。なお、トライアックを用いた調光装置としては、トライアックで発生した熱を放熱させるための放熱フィンを設けたものも提案されている。
【０００３】
上記特許文献１などに開示された調光装置は例えば図１２に示す回路構成を有しており、交流電源Ｖｓと照明負荷Ｌａとの間に挿入されるトライアックＱの主端子（Ｔ１端子とＴ２端子）間に抵抗Ｒ１と可変抵抗ＶＲとコンデンサＣ１との直列回路からなる時定数回路２０１を接続し、可変抵抗ＶＲとコンデンサＣ１との接続点とトライアックＱのゲートとの間にトリガ素子としてのダイアックＱ１を接続してある。さらに、可変抵抗ＶＲとコンデンサＣ１との直列回路に定電圧回路２０２を接続してある。ここに、定電圧回路２０２は交流電圧が印加されるから、一対のツェナダイオードＺＤ１，ＺＤ２を逆直列に接続して構成してある。
【０００４】
このような調光装置では、電源スイッチＳＷ’をオンさせて電源を投入すると、抵抗Ｒ１と可変抵抗ＶＲとを通してコンデンサＣ１が充電され、コンデンサＣ１の端子電圧がダイアックＱ１のブレークオーバ電圧に達すると、ダイアックＱ１が導通してコンデンサＣ１の電荷が放電され、このときトライアックＱがターンオンする。その後、交流電源Ｖｓの電圧波形のゼロクロス点に近づくと、トライアックＱはオン状態を維持できなくなりオフになる。したがって、図１２に示す回路構成の調光装置は交流電源Ｖｓの電圧波形の半周期ごとに上述の動作を繰り返す。コンデンサＣ１の端子電圧がダイアックＱ１のブレークオーバ電圧に達するタイミング（つまり、位相角）は可変抵抗ＶＲにより調節可能であるから、可変抵抗ＶＲを調節すれば照明負荷Ｌａに印加される電圧の実効値を調節して照明負荷Ｌａの光出力（つまり、調光レベル）を調節することができるのである。なお、上述のトリガ素子としてダイアックＱ１に代えてＳＢＳを用いた回路も知られている。
【０００５】
ところで、上述の図１２に示した回路構成の調光装置では、可変抵抗ＶＲにより設定された位相角でトラアックＱをターンオンさせて照明負荷Ｌａの負荷電流をトライアックＱに流すので、交流電源Ｖｓの位相角が９０度付近では、負荷電流が非常に急峻な立ち上がりを示し（つまり、ターンオン時のｄｉ／ｄｔが大きく）、高周波ノイズ（例えば、１５０ＫＨｚ〜３０ＭＨｚのノイズ）が発生したり、急峻な負荷電流の影響により照明負荷Ｌａとしての白熱灯のフィラメントが振動して音響ノイズが発生する恐れがある。
【０００６】
そこで、上述の図１２に示した回路構成の調光装置では、照明負荷ＬａとトライアックＱとの間にノイズフィルタを構成するチョークコイルＬを挿入し、トライアックＱとチョークコイルＬとの直列回路にチョークコイルＬとともにノイズフィルタを構成するコンデンサＣ０を並列接続してある。
【０００７】
しかしながら、ノイズのレベルをＩＥＣ基準などの規格値を満足するレベルまで低減させるには、チョークコイルＬを大型化する必要があり、調光装置全体が大型化してしまう。
【０００８】
そこで、本願発明者らは、ノイズフィルタを設けることなくノイズを低減できるようにした調光装置の一例として図１３に示す回路構成を有する調光装置を提案している。
【０００９】
図１３に示す回路構成の調光装置は、商用電源のような交流電源Ｖｓと白熱灯のような照明負荷Ｌａとの間に挿入されるトライアックＱを備え、トライアックＱの主端子間に一対のＩＧＢＴ６１，６２を逆直列に接続した直列回路を接続し、各ＩＧＢＴ６１，６２それぞれにダイオードＤ１，Ｄ２を逆並列に接続してある。ここにおいて、２つのＩＧＢＴ６１，６２はエミッタ同士を共通接続してグランドに接地してある。また、逆並列とはＩＧＢＴ６１，６２のオン時とは逆方向の電流を流す極性で接続されていることを意味し、ダイオードＤ１，Ｄ２は、それぞれのアノードをＩＧＢＴ６１，６２のエミッタに接続し、それぞれのカソードをＩＧＢＴ６１，６２のコレクタに接続してある。ＩＧＢＴ６１，６２に代えてＭＯＳＦＥＴを用いてもよく、この場合、ＭＯＳＦＥＴには寄生ダイオードがあるので、ダイオードＤ１，Ｄ２は不要となる。
【００１０】
また、図１３に示す回路構成の調光装置は、照明負荷Ｌａをオンオフするための電源スイッチ、照明負荷Ｌａの調光レベルを設定するための可変抵抗などにより構成される操作部８０と、操作部８０からの入力信号に基づいてＩＧＢＴ６１，６２およびトライアックＱを制御する制御装置７０とを備えている。
【００１１】
ここにおいて、制御装置７０は、交流電源Ｖｓの交流電圧を所定の直流電圧に変換して出力するとともに交流電圧のゼロクロス点を検出する機能を備えた電源回路７１と、電源回路７１から電源供給を受けるとともにゼロクロス検出信号ｚｓを受けて操作部８０にて設定された調光レベルが得られるようにＩＧＢＴ６１，６２およびトライアックＱを制御する制御回路７２とを備えている。また、制御装置７０には、制御回路７２から入力されたＩＧＢＴ６１，６２のインピーダンスを制御するための制御信号をＩＧＢＴ６１，６２の制御に適した電圧信号に変換して出力するＤ／Ａ変換回路７３と、制御回路７２から入力されたドライブ信号に応じてトライアックＱのゲートに単発のトリガ信号を供給するドライブ回路７４とを備えている。ここに、ＩＧＢＴ６１，６２はゲートを共通接続してあり、ゲート同士の接続点とドライブ回路７４との間には抵抗Ｒ３が接続されている。なお、図１３中のＣ３はＩＧＢＴ６１，６２のゲート容量を示している。
【００１２】
ここに、制御回路７２は、ＣＰＵなどにより構成され、操作部８０の可変抵抗で設定された調光レベルに対応する位相角を求める演算部を備え、演算部にて求めた位相角でＩＧＢＴ６１，６２の一方の制御を開始して照明負荷Ｌａに印加される負荷電圧を滑らかに増加させた後でトライアックＱをターンオンさせてからＩＧＢＴ６１，６２の制御を停止させる動作を交流電源Ｖｓの電圧波形の半周期ごとに繰り返すようになっている。また、制御回路７２は、操作部８０からの入力をＡ／Ｄ変換するＡ／Ｄ変換部と、Ｄ／Ａ変換回路７３を通してＩＧＢＴ６１，６２を制御する第１制御部と、ドライブ回路７４を通してトライアックＱを制御する第２制御部とを備えている。なお、トライアックＱおよび各ＩＧＢＴ６１，６２はそれぞれパッケージにチップが収納されている。
【００１３】
以下、図１３に示した回路構成の調光装置の動作について説明する。
【００１４】
操作部８０の電源スイッチがオン操作されると、制御回路７２は操作部８０の可変抵抗の抵抗値に応じた調光レベルが得られる位相角を演算により求め、当該位相角に応じてトライアックＱをターンオンさせるに先だって照明負荷Ｌａに印加される負荷電圧が滑らかに増加するように一対のＩＧＢＴ６１，６２の一方のインピーダンスを制御してから、トライアックＱをターンオンさせた後、ＩＧＢＴ６１，６２をオフさせるような制御を行う。すなわち、制御回路７２は、交流電源Ｖｓの電圧の極性が図１３に矢印で示す向き（以下では、この向きを正極性と呼ぶ）である場合には、上記位相角になると交流電源Ｖｓ→ＩＧＢＴ６１→ダイオードＤ２→照明負荷Ｌａ→交流電源Ｖｓの経路で電流が流れ照明負荷Ｌａの負荷電圧が滑らかに増加するようにＩＧＢＴ６１へ制御信号を与えた後、トライアックＱをターンオンさせて交流電源Ｖｓ→トライアックＱ→照明負荷Ｌａ→交流電源Ｖｓの経路で電流を流すようにしてから、ＩＧＢＴ６１への制御信号を停止する。その後、交流電源Ｖｓのゼロクロス点に近づくと、トライアックＱはオン状態を維持できなくなりオフになる。また、制御回路７２は、交流電源Ｖｓの電圧の極性が逆極性である場合には、上記位相角になると交流電源Ｖｓ→照明負荷Ｌａ→ＩＧＢＴ６２→ダイオードＤ１→交流電源Ｖｓの経路で電流が流れ照明負荷Ｌａの負荷電圧が滑らかに増加するようにＩＧＢＴ６２へ制御信号を与えた後、トライアックＱをターンオンさせて交流電源Ｖｓ→照明負荷Ｌａ→トライアックＱ→交流電源Ｖｓの経路で電流を流すようにしてから、ＩＧＢＴ６２への制御信号を停止する。その後、交流電源Ｖｓのゼロクロス点に近づくと、トライアックＱはオン状態を維持できなくなりオフになる。したがって、上述の図１３の回路は交流電源Ｖｓの電圧波形の半周期ごとに上述の動作を繰り返す。上記位相角は可変抵抗により調節可能であるから、可変抵抗の抵抗値を調節すれば照明負荷Ｌａに印加される電圧の実効値を調節して照明負荷Ｌａの光出力を調節することができるのである（つまり、調光レベルを調節することができるのである）。
【００１５】
【特許文献１】
特開平１１−１６２２４８号公報（段落番号〔００１４〕、図１、図２）
【００１６】
【発明が解決しようとする課題】
ところで、上述のようにトライアックＱの他に一対のトランジスタ（２つのＩＧＢＴ６１，６２あるいは２つのＭＯＳＦＥＴ）を設けた調光装置では、高周波ノイズを低減することができるという利点を有するが、高容量の照明負荷（例えば、１５００Ｗの白熱灯など）の光出力を調節する場合には、トライアックＱおよび各トランジスタそれぞれに定格の大きなものを採用する必要があり、トライアックＱおよび各トランジスタそれぞれが大型化してプリント基板への実装面積が増大し、絶縁距離も確保する必要があるので、調光装置全体が大型化してしまっていた。また、トライアックＱおよび各トランジスタをプリント基板に実装して器体内に収納しているので、トライアックＱおよび各トランジスタそれぞれで発生した熱を効率良く外部へ放熱することができず、操作者の手が触れる部位である操作部８０の温度が高くなっていた。
【００１７】
本発明は上記事由に鑑みて為されたものであり、その目的は、高周波ノイズの発生を抑制しつつ高容量の照明負荷の光出力を調節することができ且つ放熱性の向上および小型化を図れる調光装置を提供することにある。
【００１８】
【課題を解決するための手段】
請求項１の発明は、交流電源と照明負荷との間に挿入される双方向性３端子サイリスタと、双方向性３端子サイリスタの主端子間に接続された一対のトランジスタの直列回路と、各トランジスタに逆並列に接続された一対のダイオードと、照明負荷の調光レベルを設定するための操作部と、操作部で設定された調光レベルに対応する位相角に応じて双方向性３端子サイリスタをターンオンさせるに先だって照明負荷に印加される負荷電圧が滑らかに増加するように一対のトランジスタの一方のインピーダンスを制御する制御回路とを備え、１枚の放熱板に絶縁層を介して双方向性３端子サイリスタおよび一対のトランジスタそれぞれをベアチップ実装したパワーモジュールを構成し、パワーモジュールを施工面に設置される取付部材へ熱結合させてなることを特徴とする。
【００１９】
この発明によれば、双方向性３端子サイリスタの主端子間に接続された一対のトランジスタの直列回路と、各トランジスタに逆並列に接続された一対のダイオードと、操作部で設定された調光レベルに対応する位相角に応じて双方向性３端子サイリスタをターンオンさせるに先だって照明負荷に印加される負荷電圧が滑らかに増加するように一対のトランジスタの一方のインピーダンスを制御する制御回路とを備えていることにより、高周波ノイズの発生を抑制しつつ高容量の照明負荷の光出力を調節することができ、また、１枚の放熱板に絶縁層を介して双方向性３端子サイリスタおよび一対のトランジスタそれぞれをベアチップ実装したパワーモジュールを構成していることにより、双方向性３端子サイリスタおよび一対のトランジスタとしてそれぞれのチップが個別のパッケージに収納されたものを使用する場合に比べて双方向性３端子サイリスタおよび一対のトランジスタの実装面積を小さくすることができて調光装置全体の小型化を図ることができ、また、パワーモジュールを施工面に設置される取付部材へ熱結合させていることにより、双方向性３端子サイリスタおよび一対のトランジスタそれぞれで発生した熱を１枚の放熱板を通して取付部材から放熱させることができるので、放熱性を向上させることができるとともに、操作部の温度上昇を抑制することができる。
【００２０】
請求項２の発明は、請求項１の発明において、前記パワーモジュールと前記取付部材とを熱結合する銅板からなる熱結合部材を備え、前記取付部材は、金属板からなり、前記パワーモジュールは、アルミニウム板に絶縁層が積層されたアルミニウム基板におけるアルミニウム板が前記放熱板を構成してなることを特徴とする。
【００２１】
この発明によれば、前記パワーモジュールで発生した熱を前記パワーモジュールが実装されているアルミニウム基板および熱結合部材を通して前記取付部材のより広い範囲へ伝導させることができ、放熱性が向上する。
【００２２】
請求項３の発明は、請求項１の発明において、前記パワーモジュールと前記取付部材とを熱結合する熱結合部材を備え、前記取付部材と熱結合部材とが金属ダイキャストにて一体成形されてなることを特徴とする。
【００２３】
この発明によれば、前記パワーモジュールで発生した熱を熱結合部材を通して前記取付部材のより広い範囲へ伝導させることができ、しかも、前記取付部材と熱結合部材との界面での熱抵抗をなくすことができるから、放熱効率を向上させることができる。
【００２４】
請求項４の発明は、請求項１ないし請求項３の発明において、前記操作部を前記取付部材の一端側に配置し、前記パワーモジュールを前記取付部材の他端側に配置してなることを特徴とする。
【００２５】
この発明によれば、前記操作部と前記パワーモジュールとを離して配置することで、前記パワーモジュールで発生した熱の影響による前記操作部の温度上昇を抑制することができる。
【００２６】
請求項５の発明は、請求項４の発明において、前記取付部材において前記パワーモジュールよりも前記操作部から離れた部位に金属製の放熱ブロックが配置されてなることを特徴とする。
【００２７】
この発明によれば、前記パワーモジュールで発生した熱を放熱させるための放熱面積をさらに大きくすることができ、しかも、前記パワーモジュールよりも前記操作部から離れた部位に配置された放熱ブロックへ熱流が誘導されるので、前記操作部の温度上昇をさらに抑制することが可能となる。
【００２８】
請求項６の発明は、請求項４または請求項５の発明において、前記取付部材は、前記操作部を露出させる開口部が形成されてなることを特徴とする。
【００２９】
この発明によれば、前記取付部材から前記操作部へ熱が直接伝導しなくなるので、前記操作部の温度上昇をさらに抑制することが可能となる。
【００３０】
請求項７の発明は、請求項１ないし請求項６の発明において、前記取付部材の前面側に配設されるカバーを備え、カバーに放熱用スリットが貫設されてなることを特徴とする。
【００３１】
この発明によれば、前記パワーモジュールから前記取付部材へ伝導した熱が前記カバーに貫設された放熱用スリットを通して外部へ直接放熱されることになるので、放熱効率をさらに向上させることができ、調光装置全体の温度上昇をさらに抑制することができる。
【００３２】
請求項８の発明は、請求項７の発明において、前記カバーは、上端部および下端部それぞれに前記放熱用スリットが貫設されてなることを特徴とする。
【００３３】
この発明によれば、前記取付部材を通して放熱される熱による上昇気流が発生し、前記カバーの下端部の放熱用スリットを通して前記カバーと前記取付部材との間に空気が流入し、この空気が前記カバーの上端部の放熱用スリットを通して排出されることとなるので、放熱効率をさらに向上させることができ、調光装置全体の温度上昇を抑制することが可能となる。
【００３４】
請求項９の発明は、請求項８の発明において、前記カバーの前記上端部に形成された前記放熱用スリットは、斜め前方へ上昇傾斜し、前記カバーの前記下端部に形成された前記放熱用スリットは、斜め前方へ下降傾斜していることを特徴とする。
【００３５】
この発明によれば、前記放熱用スリットを通る流路の抵抗を低減させることができ、より多くの空気が流れることになるので、放熱効率をより一層向上させることができ、調光装置全体の温度上昇をより一層抑制することができる。
【００３６】
請求項１０の発明は、請求項７ないし請求項９の発明において、前記カバーと前記取付部材との互いの対向面の間に隙間が形成されてなることを特徴とする。
【００３７】
この発明によれば、前記カバーと前記取付部材との間の空間を通る流路の抵抗を低減させることができ、放熱効率をさらに向上させることができる。
【００３８】
請求項１１の発明は、請求項１ないし請求項１０の発明において、前記制御回路が形成された回路基板が収納された器体を備え、前記パワーモジュールは、器体の前壁に貫設された複数の端子挿通孔を通して回路基板に接続される複数の接続端子が後方へ突設されてなることを特徴とする。
【００３９】
この発明によれば、前記パワーモジュールで発生した熱が前記制御回路を形成した回路基板を収納した器体内へ直接輻射されないようにできるので、温度上昇による前記制御回路の誤動作や部品の破壊を防止することができる。
【００４０】
請求項１２の発明は、請求項１１の発明において、前記器体の前面に前記取付部材との間に隙間を形成するための隙間形成用リブが突設されてなることを特徴とする。
【００４１】
この発明によれば、前記取付部材および前記パワーモジュールからの輻射熱による前記器体の温度上昇を抑制することができるので、温度上昇による前記制御回路の誤動作や部品の破壊を防止することができる。
【００４２】
請求項１３の発明は、請求項１１または請求項１２の発明において、前記器体内には、前記パワーモジュールの前記接続端子が収納される空間と前記制御回路の部品が収納される空間とを仕切る仕切壁が設けられてなることを特徴とする。
【００４３】
この発明によれば、前記パワーモジュールの前記接続端子から前記制御回路の部品へ向かう輻射熱を仕切壁により遮蔽することが可能となり、前記制御回路の部品の温度上昇をより抑制することができ、前記制御回路の部品の温度上昇による誤動作や部品の破壊を防止することができる。
【００４４】
請求項１４の発明は、請求項１３の発明において、前記回路基板は、前記仕切壁の一部が挿入される切欠部が形成されてなることを特徴とする。
【００４５】
この発明によれば、前記回路基板において前記パワーモジュールの前記接続端子が接続される部分から前記制御回路の部品が実装されている部分へ熱が伝導する経路の断面積を小さくすることができるとともに前記仕切壁を大きくできるので、前記制御回路の部品の温度上昇をより抑制することができ、前記制御回路の部品の温度上昇による誤動作や部品の破壊を防止することができる。
【００４６】
【発明の実施の形態】
（実施形態１）
以下、本実施形態の調光装置について図１ないし図１０を参照しながら説明する。なお、本実施形態の調光装置の回路構成は図１３に示した回路構成と同じなので図示および説明を省略する。
【００４７】
本実施形態の調光装置は、壁面などの施工面に一部を埋め込んだ形で施工され、白熱灯などの照明負荷Ｌａを調光制御するように使用されるものであり、埋込型の配線器具用に用いる３連用の取付枠に外形が対応するように形成された金属製の取付板４に取着される器体１を備えている。つまり、この取付板４は、アルミニウムなどの金属材料により形成され、全体としては、ＪＩＳ規格に規格化されている大角形連用配線器具用の取付枠に最大３個まで連設して取り付けることができるように規格化された単位寸法の配線器具を３列に３個づつ連設して取り付けることができる３連用の取付枠に外形が対応するように形成されており（外形寸法が３連用の取付枠と等しく形成されており）、かつ施工面への取付手段として、スイッチボックスに螺合するボックスねじが挿通される長孔４１、壁パネルに形成した取付孔の周部を取付枠とともに挟持する挟み金具の一端部を引掛けるための引掛孔４３を備え、取付枠の前面側に配置するプレート枠をプレートねじを用いて取り付けるためのねじ孔４２も形成されている。しかして、取付板４に関しては上述の取付枠と同様の施工方法を採用することができ、埋込型の配線器具用のスイッチボックスなどを流用することができる。また、取付板４の左右方向における一端部（図１の右端部）には、縦長の矩形状の窓孔４５が形成されている。なお、窓孔４５については後述する。また、本実施形態では、取付板４が、施工面に設置される取付部材を構成している。
【００４８】
器体１は、合成樹脂製であって後面が開放された箱状の前ボディ１０と、前ボディ１０の後面側に配置される合成樹脂製の後ボディ２０とで構成され、前ボディ１０の前面側に取付板４を配置するとともに、前ボディ１０の後面側に後ボディ２０を配置し、後ボディ２０と前ボディ１０と取付板４とを複数本のかしめ鋲（図示せず）のような固定具で結合することにより形成されている。なお、これらのかしめ鋲は、後ボディ２０の後面側から後ボディ２０および前ボディ１０を通して取付板４の組立孔４４に挿入され、かしめ固定されている。
【００４９】
取付板４の前面側には合成樹脂製のカバー３０が取着され、外観上は前ボディ１０とカバー３０との間に取付板４を挟んだ形になっている。カバー３０は、取付板４の四隅のうちの３箇所の近傍にそれぞれ形成された切欠部４７に係止される係止爪３４が後面から後方へ突設されている。しかして、カバー３０の係止爪３４を取付板４の切欠部４７に係止することにより、取付板４にカバー３０が結合されている。ここにおいて、カバー３０は、カバー３０の後面と取付板４の前面との間に隙間を形成するための複数のリブ３５が後面から後方へ向かって突設されているので、カバー３０の後面と取付板４の前面との間には隙間が形成されている。
【００５０】
また、カバー３０の右端部には後述のプリント基板からなる回路基板８１に実装した可変抵抗ＶＲの操作用のつまみ２を露出させる円形状の露出孔３３が形成されている。なお、可変抵抗ＶＲは図１３における操作部８０に設けられており、この可変抵抗ＶＲは上述のように照明負荷Ｌａの調光レベルを設定するために設けられている。
【００５１】
可変抵抗ＶＲには回転式のボリュームを用いている。つまみ２は、後面が開口した円柱状の形状であって、可変抵抗ＶＲの操作子８８が挿入される筒状の挿入部２ｂを備えている。また、つまみ２は、後部に鍔部２ｃを備え、カバー３０の露出孔３３に後方から挿入され、鍔部２ｃの前面が露出孔３３の周縁に当接するようになっている。
【００５２】
また、可変抵抗ＶＲとともに上述の操作部８０に設けられる電源スイッチＳＷ（図１参照）にはいわゆるピアノハンドル式スイッチを用いており、前ボディ１０には、電源スイッチＳＷを取り付ける取付手段が設けられている。
【００５３】
電源スイッチＳＷとして用いるピアノハンドル式スイッチは、押操作可能な押釦ハンドル１０２を有する押釦スイッチよりなるスイッチ本体１０１の前面側に、スイッチ本体１０１に一端部が枢着され後面が押釦ハンドル１０２に対向するピアノハンドル（操作ハンドル）１０３を配置したものであり、ピアノハンドル１０３はピアノの鍵盤と同様に一端部を支点として他端部を押し込むことができる構成になっている。また、ピアノハンドル式スイッチは、ピアノハンドル１０３の操作面が押釦ハンドル１０２の操作面よりも大型であって、指以外の部位を用いて押操作することも可能になっている。ここにおいて、スイッチ本体１０１のケース１０１ａは、器具取付用の窓孔を有した合成樹脂製の取付枠に保持されるように構成されており、ケース１０１ａの長手方向の各側面（左右両側面）には、合成樹脂製の取付枠の窓孔を囲む部位に設けた器具取付孔に係合可能な取付爪１０５がそれぞれ一対ずつ突設してあり、取付爪１０５が器具取付孔に係合することによってケース１０１ａが取付枠に保持されるようになっている。なお、上述の合成樹脂製の取付枠における窓孔の長手方向の寸法は大角形連用（ＪＩＳＣ８３０４参照）と称する埋込型の配線器具の施工時に用いる取付枠の窓孔の長手方向の寸法と等しく設定してあり、スイッチ本体１のケース１０１ａの短手方向の寸法は取付枠の窓孔の長手方向の寸法のほぼ３分の１の寸法に形成してある。
【００５４】
スイッチ本体１０１のケース１０１ａ内には、鎖錠ばねのばね力によって端子板と鎖錠ばねとの間に電線を接続保持する速結端子構造の端子が納装されており、ケース１０１ａの後壁に形成された電線挿通口１０４を通してケース１０１ａ内に導入された電線が端子に電気的に接続されるようになっている。
【００５５】
ところで、前ボディ１０は、図１における右端部が上記制御装置７０の構成部品や可変抵抗ＶＲなどが収納される制御部品収納部１３を構成しており、制御部品収納部１３の上下方向の寸法が当該制御部品収納部１３の左側の部分のほぼ３分の２程度の寸法に設定され、制御部品収納部１３の前面が左側の部分の前面よりも前方に位置するように制御部品収納部１３の前後方向の寸法を設定してある。また、前ボディ１０は、制御部品収納部１３の前壁において上述の可変抵抗ＶＲの操作子８８に対応する位置に円形状の貫通孔１４が形成されており、可変抵抗ＶＲの操作子８８が貫通孔１４を通して前ボディ１０の前面側に突出している。
【００５６】
ところで、前ボディ１０は、上述の電源スイッチＳＷとして用いるピアノハンドル式スイッチのような埋込型の配線器具を取り付ける取付手段として、上述の制御部品収納部１３の下側に左右一対の枠片１８を備え、一対の枠片１８の上端部同士が前ボディ１０の制御部品収納部１３で連続一体に結合されるとともに下端部同士が横片１７で連続一体に結合されており、各枠片１８にケース１０１ａの両側面それぞれから突出した取付爪１０５が係合可能な器具取付孔１９を２つずつ形成してある。しかして、前ボディ１０の右端部１３と一対の枠片１８と横片１７とで囲まれた取付窓１１０にスイッチ本体１０１のケース１０１ａを導入し、ケース１０１ａの両側面に突設された各一対の取付爪１０５を各一対の器具取付孔１９に係合させることによって、ケース１０１ａを前ボディ１０に取り付けることができる。言い換えれば、前ボディ１０には、単位寸法の配線器具を１個保持することができる取付窓１１０が形成されている。
【００５７】
取付板４は、上述のように全体としては３連用の取付枠と同じ大きさであって、右側の一連用の取付枠に相当するスペースには上述の窓孔４５が形成されている。ここにおいて、窓孔４５は、長手方向の寸法が埋込型の配線器具の施工時に用いる１連用の取付枠の窓孔の長手方向の寸法と等しく設定され、短手方向の寸法が上記取付枠の窓孔の短手方向の寸法よりもやや大きく設定されており、前ボディ１０の制御部品収納部１３の前面と横片１７の前端縁と各連結片１８の前端縁とスイッチ本体１の前面とを露出させることができ、かつ、制御部品収納部１３の外周面と窓孔４５の内周面との間および各連結片１８の外側面と窓孔４５の内周縁の間に隙間が形成されるようになっている。なお、ピアノハンドル（操作ハンドル）１０３は窓孔４５のほぼ３分の１の大きさに形成されている。
【００５８】
なお、本実施形態の調光装置では、取付板４に３連用の取付枠の前面側に配置する矩形枠状のプレート枠（図示せず）をプレートねじ（図示せず）により取り付け、プレート枠の前面側に化粧プレート（図示せず）を装着することにより、プレートねじが前方から見えないようになっている。ここに、化粧プレートには、カバー３０の前面およびピアノハンドル式スイッチのピアノハンドル１０３を露出させる開口窓が形成されている。
【００５９】
また、器体１内には、上述の図１３に示した回路の部品（構成素子）のうち発熱量が比較的小さな構成素子をプリント基板からなる回路基板８１に実装した回路基板ブロック８が収納される。ここに、回路基板８１の後面側には交流電源Ｖｓおよび照明負荷Ｌａとの間の電線を接続するための端子が収納された速結端子ユニット９が配置されている。速結端子ユニット９は、端子ハウジング９１の中に端子板、鎖錠ばね、解除釦を収納してあり、端子ハウジング９１の後壁に形成した電線挿入口（図示せず）を通して端子ハウジング９１内に導入される電線を鎖錠ばねのばね力によって端子板と鎖錠ばねとの間に接続保持するように構成されている。速結端子ユニット９から電線を外すには、マイナスドライバのような工具の先端部を端子ハウジング９１の後壁に設けた解除孔に挿入して解除釦を押操作し解除釦により鎖錠ばねを撓ませ、鎖錠ばねを電線から引き離すことで、電線を抜き取ることができるようになっている。端子板および鎖錠ばねは４個ずつ設けられ、解除釦は２個設けられている。速結端子ユニット９における各端子板には、端子ハウジング９１の前壁から前方へ突出する端子片９４が一体に設けられており、速結端子ユニット９は、端子片９４を回路基板８１の挿通孔８４（図１０参照）に挿通して回路基板８１の導電パターンに半田で接続することによって回路基板８１に実装されているが、端子ハウジング９１の後面が後ボディ２０に形成した開口窓２４を通して後ボディ２０の後面側に露出しているので、器体１の後方から端子ハウジング９１の電線挿入口へ電線を導入することができる。
【００６０】
ところで、本実施形態では、図１３に示した回路構成におけるトライアックＱおよび一対のＩＧＢＴ６１，６２を１枚のアルミニウム基板５１に実装してパワーモジュール５を形成してあり、パワーモジュール５を前ボディ１０における制御部品収納部１３よりも左側の部分の前面側に配置している。ここにおいて、アルミニウム基板５１は、矩形板状のアルミニウム板の一表面上に絶縁層を介して導電パターンが形成されたものであり、トライアックＱおよび一対のＩＧＢＴ６１，６２などの各デバイスのパッドが導電パターンに電気的に接続されており、アルミニウム板が放熱板として機能する。要するに、放熱板として機能するアルミニウム板にトライアックＱおよび一対のＩＧＢＴ６１，６２が絶縁層を介してベアチップ実装されている。また、パワーモジュール５は上記アルミニウム基板５１における各チップの実装面側に合成樹脂成形品からなる枠状の枠体５２が一体に設けられており、上記アルミニウム基板５１に各チップを実装した後に、上記アルミニウム基板５１と枠体５２とで囲まれる空間に封止用の樹脂を充填してある。また、パワーモジュール５のアルミニウム基板５１にはかしめ鋲などの固定具を挿通する２つの固定具挿通孔５４が貫設されており、回路基板８１、前ボディ１０、後述の放熱板６、取付板４それぞれにおいて各固定具挿通孔５４に対応する部位にはそれぞれ挿通孔８７，１１，６８，４８が形成されている。
【００６１】
パワーモジュール５は、後方へ突出した複数の接続端子５３を備えており、各接続端子５３を前ボディ１０の前壁に形成された端子片挿通孔１６を通して前ボディ１０内に挿入し、各接続端子５３を回路基板８１の挿通孔８６（図１０参照）に挿通して導電パターンに半田で接続してある。
【００６２】
また、器体１は、取付板４との間に銅板のように熱伝導性の高い金属材料からなる放熱板６を挟持した形で取付枠４に取り付けられる。放熱板６は、矩形板状に形成されており、前ボディ１０において放熱板６の４隅に対応する部位それぞれから前方へ隙間形成用リブ１５が突設されており、前ボディ１０の前面と放熱板６の後面との間に隙間形成用リブ１５の突出量に応じた空間が形成されている。上述のパワーモジュール５はこの空間に配置され、パワーモジュール５の前面（つまり、アルミニウム板において絶縁層が形成されていない側の表面）が放熱板６の後面に接触している。
【００６３】
放熱板６には、取付板４に固定するにあたって用いるかしめ鋲などの固定具を挿通する４つの挿通孔６４が形成されており、かしめ鋲などの固定具を用いて放熱板６を取付枠４に接触固定することにより、パワーモジュール５の放熱面積を大きくして、トライアックＱおよび一対のＩＧＢＴ６１，６２の放熱を効率良く行えるようにしてあり、前カバー３０、つまみ２、ピアノハンドル１０３などの温度上昇を抑制することができる。要するに、取付板４はトライアックＱおよび一対のＩＧＢＴ６１，６２の放熱性を向上させる機能を持つ。また、放熱板６の左端部の後面側には金属製の放熱ブロック７が配置されている。なお、放熱ブロック７は、縦長の直方体状に形成されており、放熱ブロック７の後面側から放熱ブロック７の２つの貫通孔７ｂそれぞれに挿入されるかしめ鋲などの固定具（図示せず）を用いて放熱板６および取付板４に結合されている。ここに、取付板４には放熱ブロック７に挿入された固定具が挿通される２つの挿通孔４９が形成され、放熱板６において取付板４の各挿通孔４９に対応する部位にも固定具が挿通される２つの挿通孔６９が形成されている。
【００６４】
ところで、器体１の内部空間は、前ボディ１０の前壁の後面から後方へ向かって突設された仕切壁１２と後ボディ２０の前面において前ボディ１０の仕切壁１２に対応する部位から前方へ突設された仕切壁２２とにより、制御装置７０の部品や可変抵抗ＶＲを収納する制御部品収納エリアとパワーモジュール５の接続端子５３を接続するモジュール接続エリアとに分けられている。
【００６５】
また、カバー３０は、取付板４の窓孔４５よりも左側の部分の前面側に配置される第１カバー部３１と、第１カバー部３１の右側に位置し可変抵抗ＶＲのつまみ２を露出させる露出孔３３を貫設した第２カバー部３２とが連続一体に形成されており、第１カバー部３１の上端部および下端部には、左右方向に走る複数の放熱用スリット３６が上下方向に列設されている。ここにおいて、第１カバー部３１の上端部に形成された放熱用スリット３６は、斜め前方へ上昇傾斜し、第１カバー部３１の下端部に形成された放熱用スリット３６は、斜め前方へ下降傾斜している。また、カバー３１は、第１カバー部３１における第２カバー部３２側の端部から後方に向かって分離壁３８が形成されている。
【００６６】
以上説明した本実施形態の調光装置では、図１３に示したように、トライアックＱの主端子間に接続された一対のＩＧＢＴ６１，６２の直列回路と、各ＩＧＢＴ６１，６２に逆並列に接続された一対のダイオードＤ１，Ｄ２と、操作部８０の可変抵抗ＶＲで設定された調光レベルに対応する位相角に応じてトライアックＱをターンオンさせるに先だって照明負荷Ｌａに印加される負荷電圧が滑らかに増加するように一対のＩＧＢＴ６１，６２の一方のインピーダンスを制御する制御回路７２とを備えていることにより、高周波ノイズの発生を抑制しつつ高容量の照明負荷Ｌａの光出力を調節することができ、また、１枚のアルミニウム基板５１にトライアックＱおよび一対のＩＧＢＴ６１，６２それぞれをベアチップ実装したパワーモジュール５を構成していることにより、トライアックＱおよび一対のＩＧＢＴ６１，６２としてそれぞれのチップが個別のパッケージに収納されたものを使用する場合に比べてトライアックＱおよび一対のＩＧＢＴ６１，６２の実装面積を小さくすることができて調光装置全体の小型化を図ることができる。また、パワーモジュール５を施工面に設置される取付部材たる取付板４へ熱結合させていることにより、トライアックＱおよび一対のＩＧＢＴ６１，６２それぞれで発生した熱をアルミニウム基板５１のアルミニウム板と放熱板６とを通して取付板４から放熱させることができるので、放熱性を向上させることができるとともに、操作部８０における可変抵抗ＶＲのつまみ２および電源スイッチＳＷたるピアノハンドル式スイッチのピアノハンドル１０３の温度上昇を抑制することができる。なお、本実施形態では、パワーモジュール５と取付板４とを放熱板６を介して熱結合しているが、放熱板６を設けずに、パワーモジュール５におけるアルミニウム板と取付板４とを接触させて熱結合させるようにしてもよい。
【００６７】
また、操作部８０における可変抵抗ＶＲおよび電源スイッチＳＷを取付板４の一端側（図１の右端側）に配置し、パワーモジュール５を取付板４の他端側（図１の左端側）に配置してあるので、操作部８０とパワーモジュール５とを離して配置することにより、パワーモジュール５で発生した熱の影響による操作部８０の温度上昇を抑制することができる。一方で、取付板４においてパワーモジュール５よりも操作部８０から離れた部位に放熱ブロック７を配置してあるので、パワーモジュール５で発生した熱を放熱させるための放熱面積をさらに大きくすることができ、しかも、放熱ブロック７へ熱流が誘導されるので、操作部８の温度上昇をさらに抑制することが可能となる。また、本実施形態では、取付板４における窓孔４５が操作部８０を露出する開口部を構成しており、取付板４から操作部８０へ熱が直接伝導しないので、操作部８０の温度上昇をさらに抑制することが可能となる。
【００６８】
また、本実施形態の調光装置では、パワーモジュール５から取付板４へ伝導した熱による上昇気流が発生し、第１カバー部３１の下端部の放熱用スリット３６を通してカバー３０と取付板４との間に空気が流入し、この空気がカバー３０の上端部の放熱用スリット３６を通して排出されることとなるので、放熱効率をさらに向上させることができ、調光装置全体の温度上昇を抑制することが可能となる。なお、本実施形態では、カバー３０の上端部に形成された放熱用スリット３６が斜め前方へ上昇傾斜し下端部に形成された放熱用スリット３６が斜め前方へ下降傾斜しているが、上部部の放熱用スリット３６の傾斜方向に沿った突起を設けるとともに下端部の放熱用スリット３６の傾斜方向に沿った突起を設ければ、放熱用スリット３６を通る流路の抵抗（気流抵抗）を低減できてより多くの空気が流れることとなって放熱性が向上する。また、カバー３０と取付板４との間に隙間が形成されていることにより、この隙間を通る流路の抵抗も低減できる。
【００６９】
また、本実施形態では、パワーモジュール５に一体に設けられた接続端子５３が器体１の前壁に貫設された複数の端子挿通孔１６を通して回路基板８１に接続されるので、パワーモジュール５で発生した熱が器体１内へ直接輻射されないようにできるので、温度上昇による制御回路７２の誤動作や部品の破壊を防止することができる。また、器体１の前面に取付板４との間に隙間を形成するための隙間形成用リブ１５が突設されているので、取付板４およびパワーモジュール５からの輻射熱による器体１の温度上昇を抑制することができるので、温度上昇による制御回路７２の誤動作や部品の破壊を防止することができる。また、パワーモジュール５の接続端子５３から制御回路７２の部品へ向かう輻射熱を仕切壁１２，２２により遮蔽することができるので、制御回路７２の部品の温度上昇をより抑制することができ、制御回路７２の部品の温度上昇による誤動作や部品の破壊を防止することができる。なお、回路基板８１に仕切壁１２，２２の一部を挿入する切欠部８５（図１０参照）を形成しておけば、回路基板８１においてパワーモジュール５の接続端子５３が接続される部分から制御回路７２の部品が実装されている部分へ熱が伝導する経路の断面積を小さくすることができるとともに仕切壁１２，２２を大きくできるので、制御回路７２の部品の温度上昇をより抑制することができ、制御回路７２の部品の温度上昇による誤動作や部品の破壊を防止することができる。
【００７０】
（実施形態２）
本実施形態の調光装置の基本構成は実施形態１と略同じであって、実施形態１にて説明した熱結合部材たる放熱板６および放熱ブロック７の材料を取付部材たる取付板４と同じ金属材料（例えば、アルミニウム）として、図１１に示すように、放熱板６と取付板４と放熱ブロック７とを金属ダイキャスト（アルミダイキャスト）にて一体成形している点に特徴があり、実施形態１のように放熱板６と取付板４と放熱ブロック７とを別体として形成してある場合に比べて、組立性が向上するとともに、熱伝導率が向上して放熱性能が向上する。他の構成は実施形態１と同じなので説明を省略する。本実施形態では、放熱板６と取付板４と放熱ブロック７とを金属ダイキャストにて一体成形しているが、放熱板６と取付板４とを金属ダイキャストにて一体成形するようにしてもよい。
【００７１】
なお、上記各実施形態では、トライアックＱの主端子間に接続される一対のトランジスタの直列回路として、一対のＩＧＢＴ６１，６２を逆直列に接続した直列回路を採用しているが、一対のＭＯＳＦＥＴを逆直列に接続した直列回路を採用してもよく、この場合には、一対のダイオードＤ１，Ｄ２は不要となることは勿論である。
【００７２】
【発明の効果】
請求項１の発明では、双方向性３端子サイリスタの主端子間に接続された一対のトランジスタの直列回路と、各トランジスタに逆並列に接続された一対のダイオードと、操作部で設定された調光レベルに対応する位相角に応じて双方向性３端子サイリスタをターンオンさせるに先だって照明負荷に印加される負荷電圧が滑らかに増加するように一対のトランジスタの一方のインピーダンスを制御する制御回路とを備えていることにより、高周波ノイズの発生を抑制しつつ高容量の照明負荷の光出力を調節することができるという効果があり、また、１枚の放熱板に絶縁層を介して双方向性３端子サイリスタおよび一対のトランジスタそれぞれをベアチップ実装したパワーモジュールを構成していることにより、双方向性３端子サイリスタおよび一対のトランジスタとしてそれぞれのチップが個別のパッケージに収納されたものを使用する場合に比べて双方向性３端子サイリスタおよび一対のトランジスタの実装面積を小さくすることができて調光装置全体の小型化を図ることができるという効果があり、また、パワーモジュールを施工面に設置される取付部材へ熱結合させていることにより、双方向性３端子サイリスタおよび一対のトランジスタそれぞれで発生した熱を１枚の放熱板を通して取付部材から放熱させることができるので、放熱性を向上させることができるとともに、操作部の温度上昇を抑制することができるという効果がある。
【００７３】
請求項２の発明では、前記パワーモジュールで発生した熱を前記パワーモジュールが実装されているアルミニウム基板および熱結合部材を通して前記取付部材のより広い範囲へ伝導させることができ、放熱性が向上するという効果がある。
【００７４】
請求項３の発明では、前記パワーモジュールで発生した熱を熱結合部材を通して前記取付部材のより広い範囲へ伝導させることができ、しかも、前記取付部材と熱結合部材との界面での熱抵抗をなくすことができるから、放熱効率を向上させることができるという効果がある。
【００７５】
請求項４の発明では、前記操作部と前記パワーモジュールとを離して配置することで、前記パワーモジュールで発生した熱の影響による前記操作部の温度上昇を抑制することができるという効果がある。
【００７６】
請求項５の発明では、前記パワーモジュールで発生した熱を放熱させるための放熱面積をさらに大きくすることができ、しかも、前記パワーモジュールよりも前記操作部から離れた部位に配置された放熱ブロックへ熱流が誘導されるので、前記操作部の温度上昇をさらに抑制することが可能となるという効果がある。
【００７７】
請求項６の発明では、前記取付部材から前記操作部へ熱が直接伝導しなくなるので、前記操作部の温度上昇をさらに抑制することが可能となるという効果がある。
【００７８】
請求項７の発明では、前記パワーモジュールから前記取付部材へ伝導した熱が前記カバーに貫設された放熱用スリットを通して外部へ直接放熱されることになるので、放熱効率をさらに向上させることができ、調光装置全体の温度上昇をさらに抑制することができるという効果がある。
【００７９】
請求項８の発明では、前記取付部材を通して放熱される熱による上昇気流が発生し、前記カバーの下端部の放熱用スリットを通して前記カバーと前記取付部材との間に空気が流入し、この空気が前記カバーの上端部の放熱用スリットを通して排出されることとなるので、放熱効率をさらに向上させることができ、調光装置全体の温度上昇を抑制することが可能となるという効果がある。
【００８０】
請求項９の発明では、前記放熱用スリットを通る流路の抵抗を低減させることができ、より多くの空気が流れることになるので、放熱効率をより一層向上させることができ、調光装置全体の温度上昇をより一層抑制することができるという効果がある。
【００８１】
請求項１０の発明では、前記カバーと前記取付部材との間の空間を通る流路の抵抗を低減させることができ、放熱効率をさらに向上させることができるという効果がある。
【００８２】
請求項１１の発明では、前記パワーモジュールで発生した熱が前記制御回路を形成した回路基板を収納した器体内へ直接輻射されないようにできるので、温度上昇による前記制御回路の誤動作や部品の破壊を防止することができるというい効果がある。
【００８３】
請求項１２の発明では、前記取付部材および前記パワーモジュールからの輻射熱による前記器体の温度上昇を抑制することができるので、温度上昇による前記制御回路の誤動作や部品の破壊を防止することができるという効果がある。
【００８４】
請求項１３の発明では、前記パワーモジュールの前記接続端子から前記制御回路の部品へ向かう輻射熱を仕切壁により遮蔽することが可能となり、前記制御回路の部品の温度上昇をより抑制することができ、前記制御回路の部品の温度上昇による誤動作や部品の破壊を防止することができるという効果がある。
【００８５】
請求項１４の発明では、前記回路基板において前記パワーモジュールの前記接続端子が接続される部分から前記制御回路の部品が実装されている部分へ熱が伝導する経路の断面積を小さくすることができるとともに前記仕切壁を大きくできるので、前記制御回路の部品の温度上昇をより抑制することができ、前記制御回路の部品の温度上昇による誤動作や部品の破壊を防止することができるという効果がある。
【図面の簡単な説明】
【図１】実施形態１を示す概略分解斜視図である。
【図２】同上を示す概略分解斜視図である。
【図３】同上を示し、（ａ）は正面図、（ｂ）は平面図、（ｃ）は右側面図である。
【図４】同上を示す左側面図である。
【図５】同上における要部斜視図である。
【図６】同上におけるパワーモジュールの封止前の概略斜視図である。
【図７】同上において取付板からカバーを取り外した状態の正面図である。
【図８】同上を示す概略縦断面図である。
【図９】同上を示す概略横断面図である。
【図１０】同上における回路基板の概略背面図である。
【図１１】実施形態２を示す概略分解斜視図である。
【図１２】従来例を示す調光装置の回路図である。
【図１３】他の調光装置の回路図である。
【符号の説明】
１  器体
２  つまみ
３  ハンドル
４  取付板
５  パワーモジュール
６  放熱板
７  放熱ブロック
８  回路基板ブロック
１０  前ボディ
２０  後ボディ
３０  カバー
５１  アルミニウム基板
５３  接続端子
６１  ＩＧＢＴ
６２  ＩＧＢＴ
８１  回路基板
１０１  スイッチ本体
１０２  押釦ハンドル
１０３  ピアノハンドル
ＶＲ  可変抵抗
ＳＷ  電源スイッチ
Ｑ  トライアック
Ｖｓ  交流電源
Ｌａ  照明負荷
Ｄ１  ダイオード
Ｄ２  ダイオード
【図１】
2005019143.tif 000003
【図２】
2005019143.tif 000004
【図３】
2005019143.tif 000005
【図４】
2005019143.tif 000006
【図５】
2005019143.tif 000007
【図６】
2005019143.tif 000008
【図７】
2005019143.tif 000009
【図８】
2005019143.tif 000010
【図９】
2005019143.tif 000011
【図１０】
2005019143.tif 000012
【図１１】
2005019143.tif 000013
【図１２】
2005019143.tif 000014
【図１３】
2005019143.tif 000015